(57)【特許請求の範囲】
【請求項１】
前後方向に延び後方から端子が挿入される円形の端子挿入孔を有すると共に該端子挿入孔の内部に後方から挿入された端子を抜け止めする可撓性のランスを有するコネクタハウジングと、
前部に、前記コネクタハウジングの円形の端子挿入孔に挿入されて位置決めされると共に前方から挿入されて来る相手コネクタ側の端子と嵌合接続される円筒状の電気接続部を有し、該電気接続部の後部に、前記ランスと係合すると共に該ランスが係合する過程において該ランスから受ける荷重により回転方向の位置決めのための回転モーメントを発生する係合部を有し、この係合部の更に後側に、電線の端末が接続される電線接続部を有する丸形端子と、
からなる丸形端子付きコネクタであって、
前記コネクタハウジングの端子挿入孔の内周面のうち、前記ランスが設けられた側と反対側の内周面に、前記端子挿入孔の軸線方向と平行に直線状に延びる凹溝が形成され、該凹溝の互いに平行な両開口縁が、前記円筒状の電気接続部の外周面に当たることで前記丸形端子を端子挿入孔の軸線方向に沿うように位置決めするガイド部として構成されていることを特徴とする丸形端子付きコネクタ。
【請求項２】
請求項１に記載の丸形端子付きコネクタであって、
前記丸形端子の係合部が、前記電気接続部を構成する円筒周壁の対向二面を略同じ寸法だけ凹ませることで形成され且つ前記ランスが係合する係合凹部と、該係合凹部が形成された位置に残る前記円筒周壁を短辺とし且つ前記係合凹部の内底壁を長辺とする断面略長方形の４つの角部を回転モーメント発生のための力を受ける作用点とした回転方向姿勢制御部と、を有していることを特徴とする丸形端子付きコネクタ。
【請求項３】
請求項２に記載の丸形端子付きコネクタであって、
前記丸形端子の回転方向姿勢制御部の角部に当たる前記ランスの係合縁部に、前記回転モーメントの発生を助けるための前記ランスの撓み方向に垂直な方向に対して傾斜した傾斜部が設けられていることを特徴とする丸形端子付きコネクタ。
【請求項４】
請求項２または３に記載の丸形端子付きコネクタであって、
前記コネクタハウジングに、該コネクタハウジングの外周面から内部に向けてスペーサ挿入凹部が設けられると共に、該スペーサ挿入凹部に前記丸形端子の挿入方向と交差する方向にスペーサが挿入され、該スペーサは、前記スペーサ挿入凹部に挿入された状態で前記コネクタハウジングに本係止されることで、前記丸形端子の前記ランスと反対側に位置する係合凹部にスペーサの係合縁部を係合させて、前記丸形端子の前後方向への移動を二次係止することを特徴とする丸形端子付きコネクタ。
【発明の詳細な説明】
【技術分野】
【０００１】
本発明は、丸形端子付きコネクタに関するものである。
【背景技術】
【０００２】
車両用などに使用される多くのコネクタは、従来一般に、例えば、特許文献１に示すように、コネクタハウジングに角形の端子挿入孔を形成し、各端子挿入孔に角形の電気接続部を前部に持つ角形端子を挿入した構成となっている。しかし、角形端子を用いる場合、端子挿入孔への挿入時の端子の軸線周りの方向性の確認が必要となるのであるが、コネクタの小型化に伴って端子の小型化を図ったとき、端子が小さくなるほど挿入時の端子の方向性を確認することが困難になってきている。
【０００３】
それに対し、円筒形状の電線接続部を持つ丸形端子を使用したコネクタの例が、例えば、特許文献２や特許文献３において示されている。この種のコネクタでは、丸形端子の円筒形状の電気接続部の後端にコネクタハウジング側のランスが係合するようにしてあり、方向性を気にせずに、端子を端子挿入孔に挿入できるようになっている。
【先行技術文献】
【特許文献】
【０００４】
【特許文献１】特開２００８−６５９８５号公報
【特許文献２】特開平５−２５８７９５号公報
【特許文献３】特開２００８−１２３９１３号公報
【発明の概要】
【発明が解決しようとする課題】
【０００５】
ところが、丸形端子を使用した場合でも、相手側コネクタの端子に対する方向性を確保する必要がある場合がある。例えば、相手側コネクタのオスタブ端子を丸形端子の電気接続部に受け入れて、電気接続部に内蔵した板バネで端子同士の接圧を確保するような場合、相手側コネクタのオスタブ端子に対して適正な向きとなるように、丸形端子をコネクタハウジングに組み付けておかなくてはならない。その他の場合でも、丸形端子の方向性を確保する必要がある場合が今後多く出てくる可能性がある。
【０００６】
しかし、端子が小型化した場合、方向性を確認しながらコネクタハウジングに端子を組み付けることは、角形端子に限らず丸形端子においても非常に困難である。
【０００７】
そこで、コネクタハウジングの端子挿入孔に端子を挿入する時点では、方向性を気にせずに端子を端子挿入孔に挿入することができ、端子を挿入完了した時点で、丸形端子ゆえの回転させやすさを利用して、自動的にランスの付勢力によって端子の方向性を修正できるようにしたい、という要請が出てきた。
【０００８】
本出願人は、そのような要請に応えるものとして、先に図５〜図７示すような丸形端子付きコネクタを開発した。
【０００９】
図５はコネクタの概略断面図、図６（ａ）は丸形端子の外観を示す斜視図、図６（ｂ）はその要部の断面図、図７（ａ）〜（ｃ）は、図５のＣ−Ｃ矢視断面図で、コネクタハウジングの円形の端子挿入孔に丸形端子を挿入し、ランスの作用によって丸形端子の回転方向の位置を修正し、その上でスペーサを本係止位置まで挿入することによって、丸形端子を適正な姿勢でランスとスペーサによって二重係止するまでの過程を示す断面図である。
【００１０】
図５に示すように、このコネクタは、前後方向に延びる端子挿入孔２を有したコネクタハウジング１と、該コネクタハウジング１の各端子挿入孔２に後方から挿入される端子２０と、挿入された端子２０を二次係止するスペーサ３０と、からなる。コネクタハウジング１の各端子挿入孔２には、端子２０が後方から端子挿入孔２の中に挿入されてきたときに端子２０の後方への抜けを阻止（一次係止）する可撓性のランス３が設けられている。
【００１１】
端子挿入孔２は円形孔よりなり、端子２０は、相手コネクタ側の端子と嵌合接続される電気接続部２１を円筒形状とした丸形端子よりなる。
【００１２】
コネクタハウジング１には、端子挿入孔２の他に、外周面（本例では下面）から内部に向けてスペーサ挿入凹部３５が設けられている。スペーサ３０は、スペーサ挿入凹部３５に対して端子２０の挿入方向と交差する方向（本例では上方向）に挿入されており、スペーサ挿入凹部３５に挿入された状態でコネクタハウジング１に本係止されることにより、端子２０と係合して端子２０の前後方向への移動を二次係止する役目を果たす。
【００１３】
図７に示すように、ランス３は、端子挿入孔２の内周の上側（端子挿入孔２の断面中心の真上）に設けられており、上下方向（端子挿入孔２の半径方向＝図中矢印Ｄ方向）に撓み可能となっている。また、スペーサ３０には端子挿通用の凹所（円弧状の切欠）３１が設けられ、その凹所３１の内底部に係合凸部３３が設けられている。そして、係合凸部３３の上端縁が、端子２０に対する係合縁部３３ａとなっている。
【００１４】
一方、図６に示すように、丸形端子２０は、前部に、相手コネクタのオス端子を受け入れる電気接続部としての円筒形状のボックス部２１を有し、ボックス部２１の後側に、コネクタハウジング１のランス３と係合すると共に係合過程においてランス３から外力を受けることで回転モーメントを発生する係合部２５を有し、その更に後側に、電線の端末に接続される電線接続部（導体接続部２６及び被覆接続部２７）を有している。
【００１５】
丸形端子２０の係合部２５は、ボックス部２１を構成する円筒周壁の対向二面を略同じ寸法だけ凹ませることで形成された係合凹部２３と、係合凹部２３が形成された位置に残る円筒周壁を短辺２４ｂとし係合凹部２３の内底壁２３ａを長辺２４ａとする断面略長方形の４つの角部２４ｃを回転モーメント発生のための力を受ける作用点とした回転方向姿勢制御部２４と、を有している。
【００１６】
係合凹部２３は、ランス３の可動端の係合縁部３ｃ及びスペーサ３０の係合縁部３３ａが嵌まることで、丸形端子２０の前後方向の移動を阻止するものとして設けられており、係合凹部２３の内底壁２３ａが、最終的にスペーサ３０の係合縁部３３ａによって回転方向の位置決めが行われる位置決め面となっている。
【００１７】
また、回転方向姿勢制御部２４は、図７に示すように、ランス３の係合縁部３ｃが長方形断面の回転方向姿勢制御部２４の角部２４ｃに押圧接触した際の接触圧によって発生する回転モーメントにより、丸形端子２０に回転方向姿勢制御のための回転を与えるものとして設けられている。
【００１８】
この場合、回転方向姿勢制御部２４の断面は略長方形状になっており、その角部２４ｃにランス３の係合縁部３ｃやスペーサ３０の係合縁部３３ａが当たった際の当たり位置と丸形端子２０の断面中心（回転方向姿勢制御部２４の中心）との位置関係により、回転モーメントがどの方向に働くか決まる。
【００１９】
また、丸形端子２０の回転方向姿勢制御部２４の角部２４ｃに当たるランス３の係合縁部３ｃには、回転モーメントの発生を助けるための、ランスの撓み方向（矢印Ｄ方向）に垂直な方向に対して傾斜した傾斜部３ｄが設けられている。
【００２０】
このコネクタを組み立てる場合は、スペーサ３０を仮係止位置に保持した状態で、コネクタハウジング１の端子挿入孔２に後方から丸形端子２０を挿入する。挿入すると、電気接続部２１に押されてランス３が上方に撓み、突き当たりまで端子２０を挿入すると、ランス３の係合縁部３ｃが回転方向姿勢制御部２４の角部２４ｃに弾性反力により押圧接触する。
【００２１】
そして、図７（ａ），（ｂ）に示すように、ランス３の押圧接触荷重Ｅが回転方向姿勢制御部２４の角部２４ｃに作用することで、丸形端子２０に矢印Ｆ方向の回転モーメントが発生し、丸形端子２０の回転方向の姿勢が修正される。その際、ランス３の係合縁部３ｃに傾斜部３ｄが設けられていることにより、丸形端子２０に回転モーメントが発生しやすくなる。
【００２２】
図７（ｂ）のように、ある程度修正された状態で、次に、図７（ｃ）の矢印Ｇのようにスペーサ３０を上向きに挿入すると、スペーサ３０がコネクタハウジング１に本係止されると共に、スペーサ３０の係合縁部３３ａが回転方向姿勢制御部２４の角部２４ｃに当たることで、丸形端子２０を所定の姿勢になるように最終的に回転させる。この状態で、丸形端子２０の上側の係合凹部２３にランス３が係合し、下側の係合凹部２３にスペーサ３０の係合縁部３３ａが係合し、丸形端子２０がランス３とスペーサ３０によって二重係止される。
【００２３】
ところで、本出願人が鋭意研究したところ、先に開発したコネクタにおいては、次のような解決すべき新たな課題があることが分かった。
【００２４】
即ち、コネクタハウジング１の端子挿入孔２の内径は、丸形端子２０の円筒状の電気接続部２１の外径よりも大きく形成されており、端子挿入孔２の内周面と丸形端子２０の外周面との間にはある程度の隙間（ガタ）があるため、ランス３の丸形端子２０への当たり方によっては、丸形端子２０が端子挿入孔２の軸線方向に対して斜めにぶれてしまうことがある。
【００２５】
特に、ランス３の係合縁部３ｃに回転モーメントの発生を助けるための傾斜部３ｄが設けられている場合には、図８（ａ），（ｂ）に示すように、ランス３の荷重Ｅが係合縁部３ｃの傾斜部３ｄから丸形端子２０の係合部２５に斜めの分力として作用するため、丸形端子２０にぶれが生じやすく、場合によっては、図９に示すように、端子挿入孔２の内部において、丸形端子２０が端子挿入孔２の軸線方向に対して斜めの姿勢となることがある。
【００２６】
このように丸形端子２０の軸が端子挿入孔２の軸線方向からぶれると、丸形端子２０が回転しにくくなり、姿勢制御性が悪くなることがわかった。
【００２７】
本発明は、上記事情を考慮し、端子挿入孔内での丸形端子のぶれを無くして、丸形端子の姿勢制御性の向上を図った丸形端子付きコネクタを提供することを目的とする。
【課題を解決するための手段】
【００２８】
上記課題を解決するために、請求項１の発明の丸形端子付きコネクタは、前後方向に延び後方から端子が挿入される円形の端子挿入孔を有すると共に該端子挿入孔の内部に後方から挿入された端子を抜け止めする可撓性のランスを有するコネクタハウジングと、前部に、前記コネクタハウジングの円形の端子挿入孔に挿入されて位置決めされると共に前方から挿入されて来る相手コネクタ側の端子と嵌合接続される円筒状の電気接続部を有し、該電気接続部の後部に、前記ランスと係合すると共に該ランスが係合する過程において該ランスから受ける荷重により回転方向の位置決めのための回転モーメントを発生する係合部を有し、この係合部の更に後側に、電線の端末が接続される電線接続部を有する丸形端子と、からなる丸形端子付きコネクタであって、前記コネクタハウジングの端子挿入孔の内周面のうち、前記ランスが設けられた側と反対側の内周面に、前記端子挿入孔の軸線方向と平行に直線状に延びる凹溝が形成され、該凹溝の互いに平行な両開口縁が、前記円筒状の電気接続部の外周面に当たることで前記丸形端子を端子挿入孔の軸線方向に沿うように位置決めするガイド部として構成されていることを特徴としている。
【００２９】
請求項２の発明の丸形端子付きコネクタは、請求項１に記載の丸形端子付きコネクタであって、前記丸形端子の係合部が、前記電気接続部を構成する円筒周壁の対向二面を略同じ寸法だけ凹ませることで形成され且つ前記ランスが係合する係合凹部と、該係合凹部が形成された位置に残る前記円筒周壁を短辺とし且つ前記係合凹部の内底壁を長辺とする断面略長方形の４つの角部を回転モーメント発生のための力を受ける作用点とした回転方向姿勢制御部と、を有していることを特徴としている。
【００３０】
請求項３の発明の丸形端子付きコネクタは、請求項２に記載の丸形端子付きコネクタであって、前記丸形端子の回転方向姿勢制御部の角部に当たる前記ランスの係合縁部に、前記回転モーメントの発生を助けるための前記ランスの撓み方向に垂直な方向に対して傾斜した傾斜部が設けられていることを特徴としている。
【００３１】
請求項４の発明の丸形端子付きコネクタは、請求項２または３に記載の丸形端子付きコネクタであって、前記コネクタハウジングに、該コネクタハウジングの外周面から内部に向けてスペーサ挿入凹部が設けられると共に、該スペーサ挿入凹部に前記丸形端子の挿入方向と交差する方向にスペーサが挿入され、該スペーサは、前記スペーサ挿入凹部に挿入された状態で前記コネクタハウジングに本係止されることで、前記丸形端子の前記ランスと反対側に位置する係合凹部にスペーサの係合縁部を係合させて、前記丸形端子の前後方向への移動を二次係止することを特徴としている。
【発明の効果】
【００３２】
請求項１の発明によれば、端子挿入孔の内周面に、端子挿入孔の軸線方向と平行に直線状に延びる凹溝が形成され、この凹溝の互いに平行な両開口縁が、丸形端子の円筒状の電気接続部の外周面に当たることで丸形端子を端子挿入孔の軸線方向に沿うように位置決めするガイド部として構成されているので、そのガイド部として機能する凹溝の両開口縁の案内作用により、丸形端子の電気接続部よりも径の大きな端子挿入孔の内部においてランスの荷重により端子挿入孔の内周面に押し付けられる丸形端子を、斜めの姿勢にならないように端子挿入孔の軸線方向と平行に直線状に保持することができる。従って、ランスの荷重によって回転させられる際の丸形端子の回転軸がぶれるのを防いで安定させることができ、回転しやすくすることができて、丸形端子の回転方向の姿勢制御性を高めることができる。
【００３３】
請求項２の発明によれば、丸形端子の係合部に、ランスが係合する係合凹部と、断面略長方形の回転方向制御部とを設けているので、ランスの係合縁部が回転方向姿勢制御部の角部に当たってランスの弾性荷重がその角部に作用することで、丸形端子を姿勢制御のために回転させることができる。また、ランスの係合縁部が係合凹部に嵌まることで、丸形端子を抜け止めすることができる。
【００３４】
請求項３の発明によれば、ランスの係合縁部に傾斜部が設けられているので、ランスの荷重により丸形端子に回転モーメントを発生させやすくすることができる。また、ランスの係合縁部に傾斜部があることによって、丸形端子が端子挿入孔の内周面のうち、ランスのある側と反対側の内周面に真っ直ぐに押し付けられるのではなく、斜めの位置に向けて押し付けられることになるが、端子挿入孔の内周面のランスのある側と反対側には凹溝が設けられているので、この凹溝の開口縁に丸形端子の円筒状の電気接続部の外周面が当たることによって、凹溝の案内作用によって、丸形端子の姿勢をぶれずに端子挿入孔の軸線方向に沿って直線状に保持することができる。
【００３５】
請求項４の発明によれば、ランスとスペーサによって端子を二重に係止することができるので、より確実に端子を固定することができる。
【図面の簡単な説明】
【００３６】
【図１】本発明の実施形態の丸形端子付きコネクタの要部構成図で、（ａ）はコネクタハウジングを端子挿入孔の中心で切った水平断面図、（ｂ）は端子挿入孔の内周面の要部構成を示す斜視図である。
【図２】図１（ａ）のＡ−Ａ矢視断面図であり、断面Ｖ形の凹溝とランスの関係を示す図である。
【図３】実施形態の丸形端子付きコネクタの要部の側断面図である。
【図４】図３のＢ−Ｂ矢視断面図であり、（ａ）はランスからの荷重が作用し始めた初期の段階の断面図、（ｂ）はランスからの荷重により丸形端子が回転した状態を示す断面図である。
【図５】先行開発した丸形端子付きコネクタの概略側断面図である。
【図６】図５の先行開発した丸形端子付きコネクタに使用されている丸形端子の構成図で、（ａ）は外観斜視図、（ｂ）は係合部の断面図である。
【図７】図５の先行開発した丸形端子付きコネクタの要部の作用説明図で、（ａ）はコネクタハウジングの円形の端子挿入孔に丸形端子を挿入した状態を示す要部の断面図、（ｂ）はランスの作用によって丸形端子の回転方向の位置が修正される途中の状態を示す要部の断面図、（ｃ）はその上でスペーサを本係止位置まで挿入することによって、丸形端子を適正な姿勢でランスとスペーサによって二重係止した状態を示す要部の断面図である。
【図８】図５のＣ−Ｃ矢視断面図であり、（ａ）はランスからの荷重が作用し始めた初期の段階の断面図、（ｂ）はランスからの荷重により丸形端子が回転した状態を示す断面図である。
【図９】図５の先行開発した丸形端子付きコネクタの課題を説明するために示す水平断面図である。
【発明を実施するための形態】
【００３７】
以下、本発明の実施形態を図面を参照して説明する。
【００３８】
図１は実施形態の丸形端子付きコネクタの要部構成図で、図１（ａ）はコネクタハウジングを端子挿入孔の中心で切った水平断面図、図１（ｂ）は端子挿入孔の内周面の要部構成を示す斜視図、図２は図１（ａ）のＡ−Ａ矢視断面図であり、断面Ｖ形の凹溝とランスの関係を示す図、図３は丸形端子付きコネクタの要部側断面図、図４は図３のＢ−Ｂ矢視断面図であり、図４（ａ）はランスからの荷重が作用し始めた初期の段階の断面図、図４（ｂ）はランスからの荷重により丸形端子が回転した状態を示す断面図である。
【００３９】
このコネクタは、前後方向に延びる円形の端子挿入孔２を有したコネクタハウジング１と、該コネクタハウジング１の各端子挿入孔２に後方から挿入される丸形端子２０と、挿入された端子２０を二次係止するスペーサ３０（係止部材）と、からなる。
【００４０】
丸形端子２０の構成やスペーサ３０の構成は、図６及び図７に示した先行開発品と同様であるので、説明は省略する。
【００４１】
コネクタハウジング１の各端子挿入孔２には、端子２０が後方から端子挿入孔２の中に挿入されてきたときに端子２０の後方への抜けを阻止（一次係止）する可撓性のランス３（係止部材）が設けられている。ランス３は、端子挿入孔２の内周の上側（端子挿入孔２の断面中心の真上）に設けられており、上下方向（端子挿入孔２の半径方向）に撓み可能となっている。丸形端子２０の回転方向姿勢制御部２４の角部２４ｃに当たるランス３の係合縁部３ｃには、丸形端子２０の回転モーメントの発生を助けるための、ランス３の撓み方向に垂直な方向に対して傾斜した傾斜部３ｄが設けられている。
【００４２】
また、コネクタハウジング１の円形の端子挿入孔２の内周面のうち、ランス３が設けられた側と反対側の内周面（内底面）には、端子挿入孔２の軸線方向と平行に直線状に全長に延びる断面Ｖ形の凹溝２ａが形成されている。この凹溝２ａの互いに平行な両開口縁２ｃ，２ｃは、丸形端子２０の円筒状の電気接続部２１の外周面に当たることで、丸形端子２０を端子挿入孔２の軸線方向に沿うように位置決めするガイド部として機能するようになっている。
【００４３】
このコネクタを組み立てる場合は、スペーサ３０を仮係止位置に保持した状態で、コネクタハウジング１の端子挿入孔２に後方から丸形端子２０を挿入する。挿入すると、電気接続部２１に押されてランス３が上方に撓み、突き当たりまで端子２０を挿入すると、ランス３の係合縁部３ｃが回転方向姿勢制御部２４の角部２４ｃに弾性反力により押圧接触する。
【００４４】
そして、ランス３の押圧接触荷重Ｅ（図７参照）が回転方向姿勢制御部２４の角部２４ｃに作用することで、丸形端子２０に回転モーメントが発生し、丸形端子２０の回転方向の姿勢が修正される。ある程度姿勢が修正された状態で、次にスペーサ３０を上向きに挿入すると、スペーサ３０がコネクタハウジング１に本係止されると共に、スペーサ３０の係合縁部３３ａ（図７参照）が回転方向姿勢制御部２４の角部２４ｃに当たることで、丸形端子２０を所定の姿勢になるように回転させる。この状態で、丸形端子２０の上側の係合凹部２３にランス３が係合し、下側の係合凹部２３にスペーサ３０の係合縁部３３ａが係合し、丸形端子２０がランス３とスペーサ３０によって二重係止される。従って、確実に端子２０を固定することができる。
【００４５】
この動作の際に、図４に示すように、ランス３は、斜めに傾いた姿勢の回転方向姿勢制御部２４の上端の角部２４ｃに当たって押圧荷重Ｅを加えることで、回転方向姿勢制御部２４に矢印Ｆ方向の回転モーメントを発生させ、回転方向姿勢制御部２４を水平方向に沿った姿勢に向けて制御する。
【００４６】
また、このコネクタの場合、図２及び図４に示すように、端子挿入孔２の内周面に、端子挿入孔２の軸線方向と平行に直線状に延びる凹溝２ａが形成されており、その凹溝２ａの互いに平行な両開口縁２ｃが、丸形端子２０の円筒状の電気接続部２１の外周面に当たることで丸形端子２０を端子挿入孔２の軸線方向に沿うように位置決めするガイド部として構成されているので、そのガイド部として機能する凹溝２ａの両開口縁２ｃの案内作用により、丸形端子２０の電気接続部２１よりも径の大きな端子挿入孔２の内部においてランス３の荷重により端子挿入孔２の内周面に押し付けられる丸形端子２０を、軸が斜めの姿勢にならないように端子挿入孔２の軸線方向と平行に直線状に保持することができる。従って、ランス３の荷重によって回転させられる際の丸形端子２０の回転軸がぶれるのを防いで安定させることができ、回転しやすくすることができて、丸形端子２０の回転方向の姿勢制御性を高めることができる。
【００４７】
特に、ランス３の係合縁部３ｃに傾斜部３ｄが設けられている場合は、ランス３の荷重により丸形端子２０に回転モーメントを発生させやすくすることはできるが、一方で、ランス３の係合縁部３ｃに傾斜部３ｄがあることによって、図８に示すように、丸形端子２０が端子挿入孔２の内周面のうち、ランス３のある側と反対側の内周面に真っ直ぐに押し付けられるのではなく、斜めの位置に向けて押し付けられることになる。そうすると、図９に示すように、丸形端子２０の軸が端子挿入孔２の軸線方向からぶれやすくなるが、このコネクタでは、図２及び図４に示すように、端子挿入孔２の内周面のランス３のある側と反対側に凹溝２ａが設けられているので、その凹溝２ａの開口縁２ｃに丸形端子２０の円筒状の電気接続部２１の外周面が当たることによって、凹溝２ａの開口縁２ｃの案内作用によって、丸形端子２０の姿勢をぶれずに端子挿入孔２の軸線方向に沿って直線状に保持することができ、丸形端子２０を回転しやすく支持することができて、丸形端子２０の回転方向の姿勢制御性を高めることができる。
【００４８】
なお、凹溝２ａの断面は、凹溝２ａの両開口縁２ｃが互いに平行な直線状になるものであれば、Ｖ字形に限らず、矩形にしてもよい。
【符号の説明】
【００４９】
１  コネクタハウジング
２  端子挿入孔
２ａ  凹溝
２ｃ  開口縁
３  ランス（係止部材）
３ｃ  係合縁部
３ｄ  傾斜部
２０  丸形端子
２１  電気接続部
２３  係合凹部
２３ａ  内底壁
２４  回転方向姿勢制御部
２４ａ  長辺
２４ｂ  短辺
２４ｃ  角部
２５  係合部
２６  導体接続部（電線接続部）
２７  被覆接続部（電線接続部）
３０  スペーサ
３５  スペーサ挿入凹部
【図１】
0005588316.tif 000002
【図２】
0005588316.tif 000003
【図３】
0005588316.tif 000004
【図４】
0005588316.tif 000005
【図５】
0005588316.tif 000006
【図６】
0005588316.tif 000007
【図７】
0005588316.tif 000008
【図８】
0005588316.tif 000009
【図９】
0005588316.tif 000010